(57)【要約】【課題】本発明の課題は、自己の処理すべき医用画像を的確に把握させるとともに、読影を行っている医用画像に関する詳細な情報を容易に取得可能にすることである。【解決手段】本実施の形態の医用画像表示システム１００によれば、読影医が医用画像の読影を行う場合、読影医ＩＤを入力させ、この読影医ＩＤを医用画像ＤＢ４に送信して、その日読影すべき医用画像及び撮影オーダ情報を医用画像ＤＢ４から受信し、読影すべき医用画像に対応する患者情報を医用画像表示画面に一覧表示させる。また、現在読影を行っている患者については、患者情報の下層に医用画像の関連情報を表示させることにより、医用画像に関する詳細な情報を表示可能とする。【選択図】      図１
2004305387.tif 000002
【特許請求の範囲】
【請求項１】
医用画像に対応する患者情報を表示する表示方法であって、
読影すべき医用画像に対応する患者情報を一覧表示する工程と、
前記一覧表示された患者情報のうち、所定の患者情報に対応する医用画像の関連情報を表示する工程と、
を含むことを特徴とする表示方法。
【請求項２】
医用画像を読影する順番に従って患者情報を一覧表示する工程と、
前記一覧表示された患者情報のうち、先頭に表示される患者情報に対応する医用画像の関連情報を表示する工程と、
を含むことを特徴とする請求項１記載の表示方法。
【請求項３】
前記医用画像の関連情報を対応する患者情報の下層にツリー形式により表示することを特徴とする請求項１又は２記載の表示方法。
【請求項４】
医用画像を表示する表示手段を備える医用画像表示装置であって、
読影すべき医用画像に対応する患者情報を一覧表示するとともに、一覧表示された患者情報のうち、所定の患者情報に対応する医用画像の関連情報を前記表示手段に表示させる表示制御手段を備えることを特徴とする医用画像表示装置。
【請求項５】
前記表示制御手段は、医用画像を読影する順番に従って患者情報を一覧表示するとともに、前記一覧表示された患者情報のうち、先頭に表示される患者情報に対応する医用画像の関連情報を前記表示手段に表示させることを特徴とする請求項４記載の医用画像表示装置。
【請求項６】
前記表示制御手段は、前記医用画像の関連情報を対応する患者情報の下層にツリー形式により表示することを特徴とする請求項４又は５記載の医用画像表示装置。
【発明の詳細な説明】
【０００１】
【発明の属する技術分野】
本発明は、医用画像表示装置及び医用画像表示方法に関するものである。
【０００２】
【従来の技術】
医療の分野においては、例えば、コンピュータ断層画像撮影装置（以下、「ＣＴ（Ｃｏｍｐｕｔｅｄ  Ｔｏｍｏｇｒａｐｈｙ）」と記す）やコンピュータ放射線画像撮影装置（以下、「ＣＲ（Ｃｏｍｐｕｔｅｄ  Ｒａｄｉｏｇｒａｐｈｙ）」と記す）、核磁気共鳴イメージング装置（以下、「ＭＲＩ（Ｍａｇｎｅｔｉｃ  Ｒｅｓｏｎａｎｃｅ  Ｉｍａｇｉｎｇ）」と記す）等を備える医用画像撮影システムが利用されている。この医用画像撮影システムは、被験体である患者を撮影し、撮影した医用画像をデジタル画像データとして取得するシステムである。
【０００３】
具体的には、支持体上に輝尽性蛍光体層を形成した医用画像変換パネルを使用するもので、この変換パネルの輝尽性蛍光体層に被写体を透過した放射線を吸収させ、被写体各部の放射線透過度に対応する放射線エネルギーを蓄積させて潜像を形成する。その後、この蛍光体層を赤外線等の輝尽励起光で走査することにより蓄積された放射線エネルギーを蛍光として放射させてその蛍光を光電変換し、デジタル信号化した医用画像データを得るものである。
【０００４】
このように取得された医用画像は、画像処理を施された後にフィルム、或いはＣＲＴ等の出力装置に出力されて可視化されたり、サーバ等のファイリング装置に患者の情報とともに保存される。そして、医師は、撮影を依頼した患者の診断を行う場合、ファイリング装置から対応する患者の医用画像を取得して表示装置に表示させ、医用画像の読影を行っていた。
【０００５】
例えば、上述したシステムにおいて医用画像の読影を行う場合、撮影を依頼した目的の画像が自分の部署の画像ワークステーションに送られているかを確認するため、画像ワークステーションに到着した日付毎に、識別番号、患者名、撮影装置等の付帯情報を並べた到着画像リストを表示させ、表示された到着画像リストの中から所望する医用画像を検索して、表示を行う画像検索方法が利用されている（例えば、特許文献１参照）。
【０００６】
【特許文献１】
特開平５−４０７９３号公報
【０００７】
【発明が解決しようとする課題】
しかしながら、従来のシステムにおける画像検索方法（例えば、特許文献１）においては、自分の部署の画像ワークステーションに届いた医用画像について表示を行い、その中から所望の医用画像の検索して読影を行っていたため、自分の処理すべき医用画像を的確に把握することができなかった。つまり、到着画像リストには、他者が読影を行うべきリストも含まれているため、自分が読影・処理すべき医用画像の総数を的確に把握することができず、正確な業務計画を立てることができなかった。また、リストから自分が読影を行うべき医用画像を見落としてしまう場合もあった。或いは、到着画像リストには、識別番号、患者名、撮影装置等の付帯情報が表示されるのみで、医用画像に対する関連画像の有無等の詳細な情報は表示されないため、全体的な到着画像リストと詳細な情報を同時に把握することができなかった。
【０００８】
本発明の課題は、自己の処理すべき医用画像を的確に把握させるとともに、読影を行っている医用画像に関する詳細な情報を容易に取得可能な表示方法及び医用画像表示装置を提供することである。
【０００９】
【課題を解決するための手段】
上記課題を解決するために、請求項１記載の発明は、
医用画像に対応する患者情報を表示する表示方法であって、
読影すべき医用画像に対応する患者情報を一覧表示する工程と、
前記一覧表示された患者情報のうち、所定の患者情報に対応する医用画像の関連情報を表示する工程と、
を含むことを特徴とする。
【００１０】
したがって、例えば、患者情報の一覧表示からその日読影すべき医用画像の総数を的確に把握することができるため、読影医は、１日の業務の進捗管理を容易に行うことができ（リストを一瞥するだけで、残りの医用画像数を把握できるなど）、効率よく医用画像の読影を行うことができる。また、所定の患者情報については、対応する医用画像の過去の医用画像や典型的な症例画像の有無等の関連情報を表示させることにより、医用画像についての詳細な情報を容易に取得することができる。これにより、種々の情報に基づいて、的確な診断を行うことができる。
【００１１】
請求項２記載の発明は、請求項１記載の表示方法において、
医用画像を読影すべき順番に従って患者情報を一覧表示する工程と、
前記一覧表示された患者情報のうち、先頭に表示される患者情報に対応する医用画像の関連情報を表示する工程と、
を含むことを特徴とする。
【００１２】
したがって、医用画像を読影する順番に従って患者情報を一覧表示することにより、次に行うべき処理を事前に把握することができ、業務効率が向上する。また、読影する順番に従って表示された患者情報のうち、先頭に表示される患者情報に対応する医用画像の関連情報を表示することにより、現在読影を行っている医用画像について、詳細な情報を表示させることができる。これにより、読影医は、読影に必要な情報を容易かつ速やかに取得して、的確な診断を行うことができる。
【００１３】
請求項３記載の発明は、請求項１又は２記載の表示方法において、
前記医用画像の関連情報を対応する患者情報の下層にツリー形式により表示することを特徴とする。
【００１４】
したがって、一覧表示される患者情報と、医用画像の関連情報とを識別可能に表示させることができるため、視認性が向上する。また、例えば、読影を行っている患者情報に対応する医用画像の関連情報のみを表示させることにより、読影を行っている患者の認識が容易になる。
【００１５】
請求項４記載の発明は、
医用画像を表示する表示手段を備える医用画像表示装置であって、
読影すべき医用画像に対応する患者情報を一覧表示するとともに、一覧表示された患者情報のうち、所定の患者情報に対応する医用画像の関連情報を前記表示手段に表示させる表示制御手段を備えることを特徴とする。
【００１６】
請求項５記載の発明は、請求項４記載の医用画像表示装置において、
前記表示制御手段は、医用画像を読影すべき順番に従って患者情報を一覧表示するとともに、前記一覧表示された患者情報のうち、先頭に表示される患者情報に対応する医用画像の関連情報を表示することを特徴とする。
【００１７】
請求項６記載の発明は、請求項４又は５記載の医用画像表示装置において、
前記表示制御手段は、前記医用画像の関連情報を対応する患者情報の下層にツリー形式により表示することを特徴とする。
【００１８】
【発明の実施の形態】
以下、図を参照して本発明の実施の形態を詳細に説明する。ただし、発明の範囲は、図示例に限定されない。
【００１９】
まず、本実施の形態の構成を説明する。
図１は、本発明に係る医用画像表示システム１００のシステム構成を示す概念図である。図１に示すように、医用画像表示システム１００は、医用画像を表示して画像処理を行う医用画像表示装置１と、患者に放射線を照射して医用画像の撮影を行う医用画像撮影装置２（例えば、Ｘ線撮影装置、ＣＲ装置）、放射線エネルギーを蓄積した輝尽性蛍光体から医用画像を読み取る医用画像読取装置３、取得された医用画像を撮影オーダ情報とともに管理する医用画像データベース（ＤＢ）４等から構成されている。
【００２０】
この医用装置管理システム１００は、複数台の医用画像表示装置１と、医用画像撮影装置２と、医用画像読取装置３と、医用画像ＤＢ４と、がネットワークＮを経由してデータの送受信及び入出力が可能となるように接続され、診療に利用する医用画像の取得、蓄積、利用、管理を行うシステムである。なお、各装置の設置台数は図示した例に限定されず、任意に設置可能である。
【００２１】
ネットワークＮは、病院等の建物内、又は病院間に構築されたＬＡＮ（Ｌｏｃａｌ  Ａｒｅａ  Ｎｅｔｗｏｒｋ）やＷＡＮ（Ｗｉｄｅ  Ａｒｅａ  Ｎｅｔｗｏｒｋ）等の情報通信網である。具体的には、ＵＳＢ（Ｕｎｉｖｅｒｓａｌ  Ｓｅｒｉａｌ  Ｂｕｓ）、ＲＳ−２３２、ＳＳ（Ｓｉｎｇｌｅ  Ｓｔａｒ）無線、ＰＨＳ回線等により構成されている。ここで、回線形態は、環形として図示したが線形としても良く、回線形態は任意である。また、各装置間の接続は有線、無線を問わない。ただし、情報管理の信頼性の観点から、特定の利用者のみがアクセス可能なセキュリティが確保されているネットワークであることが望ましい。
【００２２】
次に、本発明の主要な構成要素である医用画像表示装置１について説明する。図２は、本実施の形態における医用画像表示装置１の機能的構成を示すブロック図である。図２に示すように、医用画像表示装置１は、ＣＰＵ１１、入力部１２、表示部１３、通信制御部１４、ＲＡＭ１５、記憶装置１６等を備えて構成され、各部はバス１７により接続されている。
【００２３】
ＣＰＵ（Ｃｅｎｔｒａｌ  Ｐｒｏｃｅｓｓｉｎｇ  Ｕｎｉｔ）１１は、記憶装置１６に記憶されているシステムプログラムや各種制御プログラムを読み出し、ＲＡＭ１５に展開し、該制御プログラムに従って各部の動作を集中制御する。また、ＣＰＵ１１は、ＲＡＭ１５に展開したプログラムに従って各種処理を実行し、その処理結果をＲＡＭ１５に一時記憶させるとともに、表示部１３に表示させる。
【００２４】
具体的に、ＣＰＵ１１は、記憶装置１６から医用画像表示処理プログラムを読み出して、後述する医用画像表示処理（図３参照）を実行する。なお、処理の詳細については後述する。
【００２５】
入力部１２は、カーソルキー、数字入力キー、及び各種機能キー等を備えたキーボードを含み、このキーボードで押下されたキーに対応する押下信号をＣＰＵ１１に出力する。なお、入力部１２は、必要に応じてマウス、タッチパネル等のポインティングデバイスや、その他の入力装置を備えることとしてもよい。
【００２６】
表示部１３は、ＬＣＤ（Ｌｉｑｕｉｄ  Ｃｒｙｓｔａｌ  Ｄｉｓｐｌａｙ）やＣＲＴ（Ｃａｔｈｏｄｅ  Ｒａｙ  Ｔｕｂｅ）等により構成され、ＣＰＵ１１から入力される表示信号の指示に従って、入力部１２からの入力指示やデータ等を表示する。
【００２７】
通信制御部１４は、ＬＡＮアダプタやルータやＴＡ（Ｔｅｒｍｉｎａｌ  Ａｄａｐｔｅｒ）等によって構成され、専用線、或いはＩＳＤＮ回線等の通信回線を介してネットワークＮに接続された各装置との間の通信を制御する。具体的に、通信制御部１４は、ネットワークＮを介して、医用画像ＤＢ４から送信される医用画像及び撮影オーダ情報の受信を制御する。
【００２８】
ＲＡＭ１５は、ＣＰＵ１１により実行制御される各種処理において、記憶装置１６から読み出されたＣＰＵ１１で実行可能なシステムプログラム、制御プログラム、入力若しくは出力データ、及びパラメータ等の一時的に記憶する記憶領域を形成する。
【００２９】
記憶装置１６は、ＨＤＤ（Ｈａｒｄ  Ｄｉｓｃ  Ｄｒｉｖｅ）や不揮発性の半導体メモリ等により構成され、ＣＰＵ１１で実行されるシステムプログラム、当該システムプログラムに対応する各種処理プログラム、及び処理結果等を記憶する。また、プログラムやデータが予め記憶された記録媒体（図示省略）を有しており、この記録媒体は、磁気的、光学的記録媒体、若しくは半導体メモリで構成され、記憶装置１６に固定的、或いは着脱自在に装着するものである。これらの各種プログラムは、読取可能なプログラムコードの形態で格納され、ＣＰＵ１１は、当該プログラムコードに従った動作を逐次実行する。
【００３０】
また、記憶装置１６は、ネットワークＮを介して、医用画像ＤＢ４から受信した医用画像及び撮影オーダ情報を対応付けて記憶する。この撮影オーダ情報には、例えば、撮影した患者の氏名、性別、患者ＩＤ等の患者に関する情報（以下、「患者情報」と記す）や、撮影日時、撮影部位、撮影方法等の撮影に関する情報（以下、「撮影情報」と記す）が含まれ、どの患者に対して、どのような撮影を行ったかという情報を示している。
【００３１】
また、撮影オーダ情報には、読影を行うべき読影医を指定する読影医ＩＤが付帯されている。この読影医ＩＤは、撮影を特定するために一義的に割り当てられる識別情報であり、例えば、「ｙａｍａｄａ１２３４」等である。つまり、医用画像の管理者により、予めその日読影すべき医用画像の撮影オーダ情報に読影医ＩＤが付帯され、この読影医ＩＤに基づいて、各読影医にその日読影すべき医用画像がノルマとして振り分けられ、医用画像ＤＢ４から対応する医用画像及び撮影オーダ情報が医用画像表示装置１に送信される。
【００３２】
次に、本実施の形態の動作を説明する。
なお、後述するフローチャートに記述されている各機能を実現するためのプログラムはコンピュータが読み取り可能なプログラムコードの形態で医用画像表示装置１の記憶装置１６に格納されており、医用画像表示装置１のＣＰＵ１１は、当該プログラムコードに従った動作を逐次実行する。
【００３３】
図３は、医用画像表示装置１のＣＰＵ１１により実行される医用画像表示処理を示すフローチャートである。図３に示すように、ＣＰＵ１１は、入力部１２を介して、読影医から読影リストの表示指示が入力されると（ステップＳ１）、読影医を識別するための読影医ＩＤを入力させる（ステップＳ２）。次いで、ＣＰＵ１１は、入力された読影医ＩＤを医用画像ＤＢに送信し（ステップＳ３）、該当する読影医ＩＤに割り当てられた医用画像及び撮影オーダ情報を医用画像ＤＢ４から受信する（ステップＳ４）。
【００３４】
続いて、ＣＰＵ１１は、受信した医用画像及び撮影オーダ情報を記憶装置１６に記憶させる（ステップＳ５）。また、ＣＰＵ１１は、撮影オーダ情報を取得して、撮影オーダ情報に基づいて読影リストを作成する（ステップＳ６）。ここで、読影リストは、入力された読影医ＩＤに割り当てられたその日読影すべき医用画像を患者情報に基づいて一覧表示するためのリストである。ＣＰＵ１１は、作成した読影リストを医用画像の読影すべき順番に応じて表示部１３に表示させるとともに、先頭に表示される患者情報については、患者情報に対応する医用画像の関連情報を表示させる（ステップＳ７）。
【００３５】
ここで、読影すべき順番とは、例えば、医用画像の管理者により、緊急度の高い患者順に設定された順番であり、これらの順番は、予め撮影オーダ情報に付帯されているものとする。また、読影すべき順番は、読影医毎により、任意に設定されてもよく、例えば、撮影オーダ情報に基づいて、撮影が行われた順番、患者氏名順、生年月日順等に応じて表示される構成であってもよい。また、医用画像の関連情報とは、例えば、撮影オーダ情報に含まれる撮影情報や、レポート状態、過去画像の有無等の医用画像に関する詳細な情報である。
【００３６】
続いて、ＣＰＵ１１は、医用画像を表示させる指示が入力された場合（ステップＳ８；ＹＥＳ）、ＣＰＵ１１は、読影リストの先頭に表示されている患者情報に対応する医用画像を記憶装置１６から取得して、表示部１３に表示させる（ステップＳ９）。また、入力部１２を介して、読影リストの中から一の患者情報が選択され、医用画像の表示指示が入力された場合（ステップＳ８；ＹＥＳ）、ＣＰＵ１１は、選択された患者情報に対応する医用画像の関連情報を表示させるとともに、現在患者情報とともに表示されている医用画像の関連情報を消去する。そして、ＣＰＵ１１は、選択された患者情報に対応する医用画像を記憶装置１６から取得して、表示部１３に表示させる（ステップＳ９）。
【００３７】
次いで、医師は、表示された医用画像を読影して、入力部１２を介してレポートの作成指示を入力し、ＣＰＵ１１は、入力された指示に基づいてレポートの作成を行う（ステップＳ１０）。続いて、ＣＰＵ１１は、レポートの作成が終了したか否かを判別し（ステップＳ１１）、レポートの作成を終了する指示が入力されると（ステップＳ１１；ＹＥＳ）、読影が終了したと判別して、読影リストの中から読影が終了した患者情報を消去して、読影リストの更新を行う（ステップＳ１２）。
【００３８】
さらに、ＣＰＵ１１は、次の医用画像を表示させるか否かを判別する（ステップＳ１３）。すなわち、ＣＰＵ１１は、読影リストに未読影の医用画像が残っているか否かを判別し、読影リストに未読影の医用画像が残っている場合（ステップＳ１３；ＹＥＳ）、ステップＳ９に移行して、次の医用画像を記憶装置１６から取得して医用画像を表示させる（ステップＳ９）。また、読影リストの中から一の患者情報が選択され、医用画像の表示指示が入力された場合（ステップＳ１３；ＹＥＳ）、ＣＰＵ１１は、選択された患者情報に対応する医用画像の関連情報を表示させるとともに、対応する医用画像を記憶装置１６から取得し、表示部１３に表示させる（ステップＳ９）。そして、ＣＰＵ１１は、上述したステップＳ９〜ステップＳ１３の処理を繰り返して実行する。
【００３９】
一方、読影リストに未読影の医用画像が残っていない場合、又は医用画像の表示を終了する指示が入力された場合（ステップＳ１３；ＮＯ）、ＣＰＵ１１は、本医画像表示処理を終了する。
【００４０】
次に、図４を参照して、上述した医用画像表示処理において、表示部１３に表示される医用画像表示画面について説明する。図４は、医用画像表示画面１３１の一例を示す図である。図４に示すように、医用画像表示画面１３１には、医用画像を表示する領域１３１Ａと、読影リストを表示する領域１３１Ｂと、レポートを入力又は表示する領域１３１Ｃとが設けられている。医用画像を表示する領域１３１Ａには、読影リストの先頭に表示される患者情報に対応する医用画像又は読影医により指示された医用画像が表示されている。
【００４１】
読影リストを表示する領域１３１Ｂには、読影医がその日読影すべき医用画像を、患者情報に基づいて一覧表示する読影リストが表示される。図５を参照して、読影リストを詳細に説明する。図５は、医用画像表示画面１３１の一部として表示される読影リストを拡大した図である。図５に示すように、読影リストには、読影を行う読影医の氏名及び読影医ＩＤを表示する領域１３１ａ、本日及び昨日の未読影医用画像について検索を行うための領域１３１ｂ、読影リストとして患者情報を一覧表示する領域１３１ｃ、各種指示を入力するための入力釦を表示する領域１３１ｄが設けられている。
【００４２】
領域１３１ａには、読影を行う医師の氏名として、「山田太郎」のテキストデータが表示され、読影医ＩＤとして、「ｙａｍａｄａ１２３４」のテキストデータ及び数字データが表示されている。また、領域１３１ｂには、本日及び昨日の未読読影医用画像を患者人数に基づいて表示する項目と、「患者ＩＤ」、「患者氏名」、「モダリティ」、「レポート状態」をキーワードとして、未読影医用画像の検索を行うためのキーワード入力項目が設けられている。
【００４３】
ここで、モダリティは、撮影装置の種別を示し、レポート状態は、医用画像に対する所見を記入するレポートの作成状態を示すものである。具体的に、モダリティは、ＣＲ、ＣＴ、ＭＲＩ等の種別があり、レポート状態は、未作成、作成中、保留中、修正待ち、承認待ち、承認済み等がある。通常、医用画像は、二人の読影医により読影される必要があり、一人の読影医により作成されたレポートは、他の読影医の承認を受ける必要がある。
【００４４】
領域１３１ｃには、読影医がその日読影すべき医用画像が患者情報に基づいて一覧表示されている。また、先頭に表示される患者情報の下層には、ツリー形式により、対応する医用画像の関連情報が表示されている。すなわち、領域１３１ｃには、患者情報のリストが一覧表示され、患者情報として、患者ＩＤ、氏名、生年月日、年齢、性別の項目が表示されている。また、一の患者情報に対応する医用画像の関連情報として、撮影日時、撮影オーダＩＤ、撮影部位、モダリティ、撮影枚数、レポート状態、過去レポートの有無の項目が表示されている。
【００４５】
具体的に、最上段に表示される患者情報及び関連情報を例として説明する。最上段に表示される患者情報には、患者ＩＤとして、「１２３４」の数字データが表示され、氏名として、「鈴木二郎」のテキストデータが表示される。また、生年月日として、「１９７８．０２．１５」の数字データが表示され、年齢として、「２５歳」のテキストデータ、性別として、「男」のテキストデータがそれぞれ表示されている。
【００４６】
また、最上段に表示されている患者情報の下層には、ツリー形式により、対応する医用画像の関連情報が表示される。この関連情報には、撮影日時として、「２００２．１１．２３」の数字データが表示され、撮影オーダＩＤとして、「Ｓ２００２０１１０９７６５４」の数字データが表示される。また、撮影部位として、「胸部」のテキストデータが表示され、モダリティとして、「ＣＲ」のテキストデータ、撮影枚数として、「５枚」のテキストデータが表示される。さらに、レポート状態として、「作成中」のテキストデータ、過去レポートの有無を示す情報として、「有」が表示される。なお、過去レポートの「有」を操作すると、対応する過去レポートが表示される構成となっている。
【００４７】
なお、表示される関連情報のうち、現在医用画像が領域１３１Ａに表示されている関連情報については、網掛け表示が行われ、他の医用画像の関連情報と識別可能に表示される構成であってもよい。また、領域１３１ｃに収まらない患者情報については、画面右端に設けられるスクロールバーを操作することにより、表示可能な構成となっている。
【００４８】
また、領域１３１ｄには、各種指示を入力するための指示釦として、「検索」、「読影」、「レポート表示」、「レポート作成」、「振り分け条件設定」、「患者情報表示」、「更新」、「ホスト送信」、「印刷」、「メディア保存」、「患者情報修正」、「設定」等の各指示釦が表示されている。以下、指示釦の機能について説明する。
【００４９】
検索釦は、領域１３１ａのキーワード入力項目に入力されたキーワードに基づいて、医用画像の検索を行う指示を入力する釦である。読影釦は、選択された撮影情報について、当該撮影情報に対応する医用画像の表示指示を入力する釦である。レポート表示釦は、レポート作成画面の表示指示を入力する釦である。ここで、レポート状態が、未作成、作成中、保留中、修正待ちであれば、レポート作成画面を表示し、承認待ちであれば、レポート承認画面を表示し、承認済みであれば、レポート参照画面を表示する。レポート作成釦は、レポートの追加作成又はレポートの新規作成を指示する釦である。
【００５０】
振り分け条件設定釦は、条件に応じて振り分けられた患者データを領域１３１ｂに表示させる指示を入力する釦である。患者詳細情報表示釦は、選択された患者情報について、詳細な関連情報をツリー形式にて表示させる指示を入力する釦である。更新釦は、医用画像ＤＢ４から送信される患者情報の更新を行う指示を入力する釦である。ホスト送信釦は、指定されたホストに医用画像等を送信する指示を入力する釦である。印刷釦は、医用画像、読影リスト、レポート等を印刷する指示を入力する釦である。メディア保存釦は、医用画像等を記録メディアに保存する指示を入力する釦である。患者情報修正釦は、患者情報の修正を行う指示を入力する釦である。設定釦は、各種設定を行うための指示を入力する釦である。
【００５１】
図４に戻り、レポートを入力又は表示する領域１３１Ｃには、読影医の指示に応じて各種レポート画面が表示される。例えば、レポートの新規作成、追加修正を行うためのレポート入力画面、他の読影医がレポートの承認を行うためのレポート承認画面、承認済みのレポートを参照するためのレポート参照画面が表示される。図４においては、レポート入力画面が表示されている。
【００５２】
以上のように、本実施の形態の医用画像表示装置１によれば、読影医が医用画像の読影を行う場合、読影医ＩＤを入力させ、この読影医ＩＤを医用画像ＤＢ４に送信して、その日読影すべき医用画像及び撮影オーダ情報を医用画像ＤＢ４から受信し、読影すべき医用画像に対応する患者情報を医用画像表示画面に一覧表示させる。また、現在読影を行っている患者については、患者情報の下層に医用画像の関連情報を表示させることにより、医用画像に関する詳細な情報を表示可能とする。
【００５３】
したがって、読影医は、その日読影すべき医用画像を読影リストに基づいて的確に把握することができるとともに、現在読影を行っている患者については、対応する医用画像の関連情報が表示されることにより、詳細な情報を取得することができる。これにより、読影医は、１日の業務計画を容易に立てることができ、効率良く業務を処理することができる。また、現在読影を行っている医用画像については、詳細な関連情報が表示されるため、必要な情報を容易に取得して、的確な診断を行うことができる。
【００５４】
また、患者情報と医用画像の関連情報は、ツリー形式により、識別可能に表示されるため、視認性よくこれらの情報を表示させることができる。さらに、医用画像の関連情報は、現在医用画像の表示を行っている患者情報について表示が行われるため、読影医は、現在読影を行っている患者を容易に把握することができる。
【００５５】
なお、上述した本実施の形態における記述は、本発明に係る好適な医用画像表示装置の一例であり、これに限定されるものではない。
【００５６】
例えば、読影を行っている最中に緊急度の高い患者の医用画像の読影が依頼された場合、読影リストを更新して、緊急度の高い患者の患者情報を先頭に表示させる構成であってもよい。また、振り分け項目において検索された患者情報又は医用画像に対応する患者情報を読影リストの先頭に表示させる構成であってもよい。或いは、読影医により選択された患者情報を読影リストの先頭に表示させ、対応する医用画像の関連情報を表示させる構成であってもよい。
【００５７】
また、読影すべき医用画像として読影医に割り当てられた医用画像を他の読影医に割り当てることが可能な構成であってもよい。この場合、読影リストに表示された患者情報又は関連情報を選択して、他の読影医に割り当てる指示を入力することにより、対応する患者情報又は関連情報が読影リストから消去される構成となる。
【００５８】
その他、本実施の形態における医用画像表示装置１の各構成要素の細部構成、及び細部動作に関しては、本発明の趣旨を逸脱することのない範囲で適宜変更可能であることは勿論である。
【００５９】
【発明の効果】
請求項１又は４記載の発明によれば、例えば、患者情報の一覧表示からその日読影すべき医用画像の総数を的確に把握することができるため、読影医は、１日の業務の進捗管理を容易に行うことができ（リストを一瞥するだけで、残りの医用画像数を把握できるなど）、効率よく医用画像の読影を行うことができる。また、所定の患者情報については、対応する医用画像の過去の医用画像や典型的な症例画像の有無等の関連情報を表示させることにより、医用画像についての詳細な情報を容易に取得することができる。これにより、種々の情報に基づいて、的確な診断を行うことができる。
【００６０】
請求項２又は５記載の発明によれば、医用画像を読影する順番に従って患者情報を一覧表示することにより、次に行うべき処理を事前に把握することができ、業務効率が向上する。また、読影する順番に従って表示された患者情報のうち、先頭に表示される患者情報に対応する医用画像の関連情報を表示することにより、現在読影を行っている医用画像について、詳細な情報を表示させることができる。これにより、読影医は、読影に必要な情報を容易かつ速やかに取得して、的確な診断を行うことができる。
【００６１】
請求項３又は６記載の発明によれば、一覧表示される患者情報と、医用画像の関連情報とを識別可能に表示させることができるため、視認性が向上する。また、例えば、読影を行っている患者情報に対応する医用画像の関連情報のみを表示させることにより、読影を行っている患者の認識が容易になる。
【図面の簡単な説明】
【図１】本発明を適用した実施の形態における医用画像表示システム１００のシステム構成を示す図である。
【図２】図１の医用画像表示装置の機能的構成を示すブロック図である。
【図３】図２のＣＰＵ１１により実行される医用画像表示処理を示すフローチャートである。
【図４】表示部１３に表示される医用画像表示画面１３１を示す図である。
【図５】表示部１３に表示される医用画像表示画面１３１の領域１３１Ｂの拡大図である。
【符号の説明】
１    医用画像表示装置
１１    ＣＰＵ
１２    入力部
１３    表示部
１４    通信制御部
１５    ＲＡＭ
１６    記憶装置
１７    バス
２    医用画像撮影装置
３    医用画像読取装置
４    医用画像データベース
Ｎ    ネットワーク
【図１】
2004305387.tif 000003
【図２】
2004305387.tif 000004
【図３】
2004305387.tif 000005
【図４】
2004305387.tif 000006
【図５】
2004305387.tif 000007